(57)【要約】      （修正有）【課題】釣り竿を安定的に把持することができ、疲労軽減が図られ、しかも、サミングが行いやすい構造を有する片軸受リールを提供する。【解決手段】釣り竿に装着される本体２と、片持軸によって本体に回転自在に支持されるスプール３とを備える片軸受リール１である。本体２は、スプール３の反対側の側面に一以上の指を挿入可能な大きさの凹部４を有する。凹部は、釣り竿を取り付けるための取付部５の下部まで凹んでおり、少なくとも、取付部５側の上面４ａとスプール３側の側面４ｂとで仕切られている。スプール３は、両側のフランジで構成された巻き取り部を有し、凹部４を内側に挿入可能なように、略円筒状である。【選択図】図１
0003204773.tif 000002
【実用新案登録請求の範囲】
【請求項１】
釣り竿に装着される本体と、片持軸によって前記本体に回転自在に支持されるスプールとを備える片軸受リールであって、
前記本体は、前記スプールの反対側の側面に一以上の指を挿入可能な大きさの凹部を有し、
前記凹部は、前記釣り竿を取り付けるための取付部の下部まで凹んでいることを特徴とする、片軸受リール。
【請求項２】
前記凹部は、少なくとも、前記取付部側の上面と前記スプール側の側面とが仕切られていることを特徴とする、請求項１に記載の片軸受リール。
【請求項３】
前記スプールは、両側のフランジで構成された巻き取り部を有し、前記凹部を内側に挿入可能なように、略円筒状であることを特徴とする、請求項１又は２に記載の片軸受リール。
【考案の詳細な説明】
【技術分野】
【０００１】
本考案は、リール本体の一側にスプールが片持軸によって回転自在に支持されている魚釣り用の片軸受リールに関する。
【背景技術】
【０００２】
落とし込み・前打ち・へち釣り・筏釣りなどの釣りでは、太鼓リールと呼ばれる片軸受リールを下向きに用いるのが通常である。片軸受リールでは、片側のみが回転するように構成された片持軸によって、スプールが本体に支持されている。片軸受リールにおいて、スプール側とは逆の本体外側面は、平坦であることが多い。
【先行技術文献】
【特許文献】
【０００３】
【特許文献１】実開平２−１０５３５７号公報  第４図
【特許文献２】特許第３４８５５３３号公報  図７
【考案の概要】
【考案が解決しようとする課題】
【０００４】
落とし込み釣りでは、たとえば、左手で操作を行う場合、中指、薬指、及び小指と掌で釣り竿を把持し、人差し指でリール本体の外側面を支持し、親指でスプールのサミングを行う。このような場合、リール本体の外側面は、平面上に形成されているので、当該リールを把持する際に、指が滑りやすく把持難しくなり、手や指に疲労を感じてしまう問題がある。かかる問題の解決を目指して、従来、特許文献１及び２が提案されている。
【０００５】
特許文献１では、リール本体に、ホールド用の凹部を設けた片軸受リールが提案されている。特許文献１によれば、凹部に人差し指を挿入して、リール本体をホールドすることにより、凹部に指先が掛かり止めされることとなるので、滑りにくくなり、疲労も軽減するとされている。
【０００６】
特許文献２では、竿を把持した手の人差し指又は中指の支えとなる支え部が膨出形成されている片軸受リールが提案されている。特許文献２によれば、支え部に人差し指又は中指を当てることにより、竿を把持する手とリールとの一体感が達成でき、リールの操作性の安定化が図られるとされている。
【０００７】
しかし、特許文献１の凹部は、リール本体の外側面において、人差し指の先が少し挿入される程度にしか凹んでいない。釣り竿をしっかり把持するには、この程度の凹み具合では足らない。特許文献１の凹部では、人差し指を当てて、竿がぶれないようにする程度の効果しか得られない。
【０００８】
特許文献２の支え部は、本体の外側面に膨出する出っ張りである支え部によって、人差し指を固定できるようにして、竿がぶれないようにするものであり、釣り竿をしっかり把持するためには、利用できない。
【０００９】
それゆえ、本考案は、釣り竿を安定的に把持することができ、疲労軽減が図られ、しかも、サミングや、仕掛けを飛ばしたりする際や、魚がかかった時のやり取りの際に、使いやすい構造を有する片軸受リールを提供することを目的とする。
【課題を解決するための手段】
【００１０】
上記課題を解決するために、本考案は、以下のような特徴を有する。本考案は、釣り竿に装着される本体と、片持軸によって本体に回転自在に支持されるスプールとを備える片軸受リールであって、本体は、スプールの反対側の側面に一以上の指を挿入可能な大きさの凹部を有し、凹部は、釣り竿を取り付けるための取付部の下部まで凹んでいる。凹部は、少なくとも、取付部側の上面とスプール側の側面とが仕切られている。スプールは、両側のフランジで構成された巻き取り部を有し、凹部を内側に挿入可能なように、略円筒状である。
【考案の効果】
【００１１】
本考案によれば、凹部が取付部の下部まで凹んでいるので、指を凹部の奥まで挿入して、取付部の下部からしっかりと釣り竿及びリールを把持することが可能となる。したがって、釣り竿を安定的に把持することができ、疲労軽減が図られ、サミングや、仕掛けを飛ばしたりする際や、魚がかかった時のやり取りの際に、使いやすい。また、スプールは、両側のフランジで構成された巻き取り部を有し、凹部を内側に挿入可能なように、略円筒状とすることにより、巻き取り部のフランジを浅くし、下巻きを不要とできるので、使用する道糸のみを巻くようにすることができる。また、凹部を上面及び側面で仕切り、指を挿入するためのスペースを設けることによって、指がスプールに接触してしまって、誤ってケガをするのを防止することができる。さらに、スプールを凹部が形成しやすい構造となるように、略円筒状にすることによって、本考案の片軸受リールは、簡易な構造で提供することが可能となる。
【００１２】
本考案のこれら、及び他の目的、特徴、局面、効果は、添付図面と照合して、以下の詳細な説明から一層明らかになるであろう。
【図面の簡単な説明】
【００１３】
【図１】図１は、本考案の一実施形態に係る片軸受リール１の本体２の方向から見たときの斜視図である。
【図２】図２は、片軸受リール１のスプール３の方向から見たときの斜視図である。
【図３】図３は、片軸受リール１の分解斜視図である。
【図４】図４は、片軸受リール１の中央縦方向断面図である。
【考案を実施するための形態】
【００１４】
図１は、本考案の一実施形態に係る片軸受リール１の本体２の方向から見たときの斜視図である。図２は、片軸受リール１のスプール３の方向から見たときの斜視図である。図３は、片軸受リール１の分解斜視図である。図４は、片軸受リール１の中央縦方向断面図である。片軸受リール１は、釣り竿８に装着するための取付部５を有する本体２と、片持軸７によって本体２に支持されるスプール３とを備える。
【００１５】
取付部５は、釣り竿８の形状に沿って上面が湾曲しており、ネジ５ａ，５ｂによって、本体２に取り付けられている。片持軸７は、軸棒７ａと、留め具７ｂと、軸受け部材７ｃ，７ｄ，７ｅと、ボルト７ｆとからなる。軸受け部材７ｃ，７ｄ，７ｅの穴部に、軸棒７ａが挿入され、ボルト７ｆによって軸受け部材７ｃ，７ｄ，７ｅと軸棒７ａが連結され、軸棒７ａが軸穴７ｇに挿入されて、留め具７ｂによって軸棒７ａが本体２に留められる。これによって、片持軸７が本体２に回転可能に支持されることとなる。
【００１６】
軸棒７ａの端部は、断面が略矩形状になっている。この断面形状と沿うように、スプール３は、中心部に穴部７ｈを有する。ハンドル６の中心部にも、穴部７ｉが形成されている。軸棒７ａの端部が穴部７ｈ及び７ｉに挿入される。ハンドル６は、スプール３のねじ穴（図示を省略）にネジ６ｆがねじ込まれることによって、スプール３に固定される。軸棒７ａの端部には、ネジ溝が設けられており、同様にネジ溝が設けられた袋ナット６ｅによって、ハンドル６と軸棒７ａとが連結される。これにより、ハンドル６を回転させれば、軸棒７ａ及びスプール３が回転することとなる。ハンドルの両端６ｄには、ハンドル６を回しやすいように、持ち手部材６ａ，６ｂ，６ｃが取り付けられる。
【００１７】
本体２は、スプール３の反対側の外側面に設けられた凹部４を有する。凹部４は、一以上の指９が挿入可能な大きさを有している。凹部４は、取付部５側の上面４ｂと、スプール３側の側面４ａとによって、スプールに指が接触して、ケガをしないように空間が仕切られている。凹部４は、取付部５の下部まで凹んでいる。凹部４がかかる形状を有するために、凹部４が上面４ｂと側面４ａとによって仕切られているわけであるが、このような構造に適するようにスプール３の形状も従来から変更しなければならない。スプール３は、両側のフランジ３ａ及び３ｂで構成された巻き取り部３ｃを有する。巻き取り部３ｃの内周側に凹部４が挿入可能なように、スプール３の全体形状は、略円筒状となっている。
【００１８】
使用者は、たとえば、釣り竿８を中指、薬指、小指で把持し、人差し指を凹部４の中に挿入して、上面４ａに人差し指を当てて釣り竿８を握るようにしながら、親指でスプールを制御してサミングすることができる。よって、釣り竿を安定的に把持することができ、疲労軽減が図られることとなる。しかも、サミングは、従来通り親指等で、行うことができる。
【００１９】
以上、本考案を詳細に説明してきたが、前述の説明はあらゆる点において本考案の例示にすぎず、その範囲を限定しようとするものではない。本考案の範囲を逸脱することなく種々の改良や変形を行うことができることは言うまでもない。
【産業上の利用可能性】
【００２０】
本考案は、片軸受リールであり、産業上利用可能である。
【符号の説明】
【００２１】
１  片軸受リール
２  本体
３  スプール
４  凹部
４ａ  凹部の側面
４ｂ  凹部の上面
５  取付部
６  ハンドル
７  片持軸
８  釣り竿
９  指
【図１】
0003204773.tif 000003
【図２】
0003204773.tif 000004
【図３】
0003204773.tif 000005
【図４】
0003204773.tif 000006